(57)【特許請求の範囲】
【請求項１】
所定形状にカットした第１生地と第２生地を縫合ラインで縫い合わせ一対の縫い代を互いに重ねて前記縫合ラインの片側に倒した縫目が設けられ、前記縫目と前記生地の端部が交差する部分は、前記縫合ラインの両側で前記縫い代が同じ層数に設けられ、前記縫合ラインの両側の厚みが等しい平坦な縫目端部構造が設けられ、
前記縫目端部構造は、前記第１生地と前記第２生地が、前記縫合ラインを一致させて中表にして縫い代同士がロックミシン線で縫い合わされ、前記ロックミシン線は、前記縫合ラインが交差する前記端部に近づくにつれて前記縫合ラインから離れる方向に逃がされ、前記縫合ラインの、前記端部に近い部分には、前記ロックミシン線の一部に重なるように直線ミシン線が設けられて前記第１生地と前記第２生地が縫い合わされ、
前記第１生地の縫い代には、前記直線ミシン線に対して交差する切断線が設けられ、前記第１生地の前記縫い代の、前記切断線よりも前記端部に近い部分は、前記直線ミシン線で折り返されて、前記第２生地の前記縫い代から開かれて前記第１生地の裏面に重ねられ、
前記直線ミシン線で連結された前記第１生地と前記第２生地を、前記端部に沿う端部仕上がりラインで、前記第１生地と前記第２生地の裏面へ折り返して前記端部が仕上げられていることを特徴とする衣服。
【請求項２】
所定形状にカットした第１生地と第２生地を縫合ラインで縫い合わせ一対の縫い代を互いに重ねて前記縫合ラインの片側に倒した縫目が設けられ、前記縫目と前記生地の端部が交差する部分は、前記縫合ラインの両側で前記縫い代が同じ層数に設けられ、前記縫合ラインの両側の厚みが等しい平坦な縫目端部構造が設けられ、
前記縫目端部構造は、前記第１生地と前記第２生地の、前記縫合ラインと、前記端部に沿う端部仕上がりラインの外側に位置する縫い代は、前記縫合ラインと前記端部仕上がりラインが交差する角部の近傍が、前記縫合ラインに対して交差する縫合ライン側縁部と、前記端部仕上がりラインに対して交差する端部仕上がりライン側縁部で囲まれた形状に切除され、
前記第１生地と前記第２生地は、前記縫合ラインを一致させて前記縫合ライン側縁部に達して縫い合わされ、前記一対の縫い代は、前記端部仕上がりライン側縁部で互いに突き合わされて平行に隣接し、開き止めミシン線が設けられて互いに面一となって縫い合わされ、
前記開き止めミシン線で縫い合わされた一対の縫い代を、前記端部仕上がりラインで、前記第１生地と前記第２生地の裏面へ折り返して前記端部が仕上げられていることを特徴とする衣服。
【請求項３】
所定形状にカットした第１生地と第２生地を縫合ラインで縫い合わせ、一対の縫い代を互いに重ねて前記縫合ラインの片側に倒して縫目を形成し、前記第１生地と前記第２生地の前記縫合ラインを一致させて中表にして縫い代同士をロックミシン線で縫い合わせ、前記ロックミシン線を、前記縫合ラインが交差する前記生地の端部に近づくにつれて前記縫合ラインから離れる方向に逃がして形成し、前記縫合ラインの、前記端部に近い部分に、前記ロックミシン線の一部に重なるように直線ミシン線を形成して、前記第１生地と前記第２生地を縫い合わせ、前記第１生地の縫い代に前記直線ミシン線に対して交差する切断線を設け、前記第１生地の前記縫い代の、前記切断線よりも前記端部に近い部分を、前記直線ミシン線で折り返して前記第２生地の前記縫い代から開いて前記第１生地の裏面に重ね、前記直線ミシン線で連結された前記第１生地と前記第２生地を、前記端部に沿う端部仕上がりラインで、前記第１生地と前記第２生地の裏面へ折り返して前記端部を仕上げることを特徴とする衣服の製造方法。
【請求項４】
所定形状にカットした第１生地と第２生地を縫合ラインで縫い合わせ、一対の縫い代を互いに重ねて前記縫合ラインの片側に倒して縫目を形成し、前記生地の端部に沿う端部仕上がりラインの外側に位置する縫い代を、前記縫合ラインと前記端部仕上がりラインが交差する角部の近傍で、前記縫合ラインに対して交差する縫合ライン側縁部と、前記端部仕上がりラインに対して交差する端部仕上がりライン側縁部とで囲まれた形状に切除し、前記第１生地と前記第２生地を、前記縫合ラインを一致させて前記縫合ライン側縁部に達して縫い合わせ、前記一対の縫い代は、前記端部仕上がりライン側縁部で互いに突き合わされて平行に隣接させ開き止めミシン線を設けて互いに面一となって縫い合わせ、前記開き止めミシン線で縫い合わせた一対の縫い代を、前記端部仕上がりラインで、前記第１生地と前記第２生地の裏面へ折り返して前記端部を仕上げることを特徴とする衣服の製造方法。
【発明の詳細な説明】
【技術分野】
【０００１】
この発明は、水着やフィットネスウエア等身体に密着する衣服とその製造方法に関する。
【背景技術】
【０００２】
従来、水着やフィットネスウエアは、伸縮性を有する生地のパーツを複数個縫い合わせて作られている。色や柄が異なる生地を切り替えてデザイン性を向上させたものもある。しかし、生地を切り替える縫合ラインの縫目は、生地の縫い代をロックミシン線でオーバー合わせをして一方の生地の裏面に倒して縫製すると、縫目の両側で厚みが異なって段差が生じる。特に、縫合ラインが袖ぐりや襟ぐり等の端部まで達した場合、端部に沿って折り返して端部処理をすると縫目の段差が２倍になり、端部に突起が形成される。折返してゴム付けをしたり、生地の厚いものを用いたりすると、この突起がより大きくなると言う問題があった。衣服の端部にこのような段差による突起があると、着用者が運動をする際にこの突起が皮膚に当たり、内出血や擦過傷等の皮膚障害が起きることがある。
【０００３】
そこで従来、縫目の段差を少なくするためにいろいろな技術が提案されている。特許文献１に開示されている衣類は、複数の生地部品の突合せ部の少なくとも片面に低融点樹脂シートと高融点樹脂シートとが積層一体化された熱融着テープが配置され、前記高融点樹脂シートと前記複数の生地部品とが前記低融点樹脂シートにより融着接合されている。これにより、接合部を薄くすることができるものである。
【０００４】
また、特許文献２に開示されているリバーシブルダウンジャケットおよびリバーシブルダウンベストは、脇縫着部や肩縫着部等で、縫着部を形成する２つの部片の上にその縫着部を覆うように帯状布を配置し、帯状布の一側を縫着部を形成する一方の部片に縫着し、帯状布の他側を縫着部を形成する他方の部片に縫着したものである。これにより、従来製品に比べて縫着部のゴロゴロ感が少なく、表面と裏面がほぼ同じ外観を呈し、また、縫着部の端処理をきれいに行うことができるものである。
【先行技術文献】
【特許文献】
【０００５】
【特許文献１】特開２００５−２２６１７５号公報
【特許文献２】特開２００８−１１１１９９号公報
【発明の概要】
【発明が解決しようとする課題】
【０００６】
上記背景技術の引用文献１の衣類は、熱融着テープが必要であり、部品点数が多く、コストがかかるものである。また縫目に糸がないため、縫目を特徴とするデザインの衣服には、特徴を生かすことができない。
【０００７】
引用文献２のダウンジャケット及びダウンベストは、従来のリバーシブルダウン製品よりは薄いが、ダウンを使用しない水着やフィットネスウエアには不要の構造であり、水着やフィットネスウエアの縫目を薄くするものではない。その他、縫目をオーバー合わせではなくフラットシーマにすることで突起の解消はできるが、デザイン性に影響を与えるものである。
【０００８】
この発明は、上記背景技術の問題点に鑑みてなされたものであり、簡単な構造で安価であり、縫目を使ったデザインも可能であり、縫目に交差する端部が平坦で、着用者が快適に着用することができる衣服とその製造方法を提供することを目的とする。
【課題を解決するための手段】
【０００９】
本発明は、所定形状にカットした第１生地と第２生地を縫合ラインで縫い合わせ一対の縫い代を２枚に重ねて前記縫合ラインの片側に倒した縫目が設けられ、前記縫目と、襟ぐりや袖ぐり等の端部が交差する部分は、前記縫合ラインの両側で前記縫い代が同じ層数に設けられ、前記縫合ラインの両側の厚みが等しい平坦な縫目端部構造が設けられている衣服である。
【００１０】
前記縫目端部構造は、前記第１生地と前記第２生地が、前記縫合ラインを一致させて中表にして縫い代同士がロックミシン線で縫い合わされ、前記ロックミシン線は、前記縫合ラインが交差する前記端部に沿う端部仕上がりラインに近づくにつれて前記縫合ラインから離れる方向に逃がされている。前記縫合ラインの、前記端部仕上がりラインに近い部分には、前記ロックミシン線の一部に重なるように直線ミシン線が設けられて前記第１生地と前記第２生地が縫い合わされている。前記第１生地の縫い代には、前記直線ミシン線に対して交差する切断線が設けられ、前記第１生地の前記縫い代の、前記切断線よりも前記端部仕上がりラインに近い部分は、前記直線ミシン線で折り返されて、前記第２生地の前記縫い代から開かれて前記第１生地の裏面に重ねられている。そして、前記直線ミシン線で連結された前記第１生地と前記第２生地を、前記端部仕上がりラインで、前記第１生地と前記第２生地の裏面へ折り返して縫い、端部が仕上げられている。
【００１１】
また、前記縫目端部構造は、前記第１生地と前記第２生地の、前記縫合ラインと、前記端部に沿う端部仕上がりラインの外側に位置する縫い代は、前記縫合ラインと前記端部仕上がりラインが交差する角部の近傍が、前記縫合ラインに対して交差する縫合ライン側縁部と、前記端部仕上がりラインに対して交差する端部仕上がりライン側縁部で囲まれた形状に切除されている。前記第１生地と前記第２生地は、前記縫合ラインを一致させて前記縫合ライン側縁部に達して縫い合わされ、前記一対の縫い代は、前記端部仕上がりライン側縁部で互いに突き合わされて平行に隣接し、開き止めミシン線が設けられて互いに面一となって縫い合わされている。そして、前記開き止めミシン線で縫い合わされた一対の縫い代を、前記端部仕上がりラインで、前記第１生地と前記第２生地の裏面へ折り返して縫い、端部が仕上げられている。
【００１２】
またこの発明は、所定形状にカットした第１生地と第２生地を縫合ラインで縫い合わせ、一対の縫い代を互いに重ねて前記縫合ラインの片側に倒して縫目を形成し、前記第１生地と前記第２生地の前記縫合ラインを一致させて中表にして縫い代同士をロックミシン線で縫い合わせ、前記ロックミシン線を、前記縫合ラインが交差する前記生地の端部に近づくにつれて前記縫合ラインから離れる方向に逃がして形成し、前記縫合ラインの、前記端部に近い部分に、前記ロックミシン線の一部に重なるように直線ミシン線を形成して、前記第１生地と前記第２生地を縫い合わせ、前記第１生地の縫い代に前記直線ミシン線に対して交差する切断線を設け、前記第１生地の前記縫い代の、前記切断線よりも前記端部に近い部分を、前記直線ミシン線で折り返して前記第２生地の前記縫い代から開いて前記第１生地の裏面に重ね、前記直線ミシン線で連結された前記第１生地と前記第２生地を、前記端部に沿う端部仕上がりラインで、前記第１生地と前記第２生地の裏面へ折り返して前記端部を仕上げる衣服の製造方法である。
【００１３】
またこの発明は、所定形状にカットした第１生地と第２生地を縫合ラインで縫い合わせ、一対の縫い代を互いに重ねて前記縫合ラインの片側に倒して縫目を形成し、前記生地の端部に沿う端部仕上がりラインの外側に位置する縫い代を、前記縫合ラインと前記端部仕上がりラインが交差する角部の近傍で、前記縫合ラインに対して交差する縫合ライン側縁部と、前記端部仕上がりラインに対して交差する端部仕上がりライン側縁部とで囲まれた形状に切除し、前記第１生地と前記第２生地を、前記縫合ラインを一致させて前記縫合ライン側縁部に達して縫い合わせ、前記一対の縫い代は、前記端部仕上がりライン側縁部で互いに突き合わされて平行に隣接させ開き止めミシン線を設けて互いに面一となって縫い合わせ、前記開き止めミシン線で縫い合わせた一対の縫い代を、前記端部仕上がりラインで、前記第１生地と前記第２生地の裏面へ折り返して前記端部を仕上げる衣服の製造方法である。
【発明の効果】
【００１４】
本発明の衣服とその製造方法によれば、簡単な構造で安価であり、縫目を使って自由にデザインすることができ、縫目に交差する襟ぐりや袖ぐり、裾等の端部が平坦であり、着用者が快適に着用することができる衣服を容易に提供することができる。さらに、この発明の衣服は端部が平坦であるため、着用者が運動する時に皮膚に与える影響がなく、皮膚障害を防ぐことができる。
【図面の簡単な説明】
【００１５】
【図１】この発明の第一実施形態の衣服の縫目端部構造を形成する第１生地と第２生地を縫い合わせる前の状態（ａ）と、縫い合わせて縫い代を開いた状態（ｂ）と、端部仕上がりラインを折り返した状態（ｃ）を示す正面図である。
【図２】図１のＡ−Ａ断面図である。
【図３】この発明の第一実施形態の衣服の正面図（ａ）と背面図（ｂ）である。
【図４】この発明の第一実施形態の衣服の傾斜した端部に設けられた縫目端部構造を形成する第１生地と第２生地を縫い合わせる前の状態（ａ）と、縫い合わせた状態（ｂ）と、端部仕上がりラインを折り返した状態（ｃ）を示す正面図である
【図５】この発明の第二実施形態の衣服の縫目端部構造を形成する第１生地と第２生地を縫い合わせる前の状態（ａ）と、縫い合わせた状態（ｂ）と、端部仕上がりラインを折り返した状態（ｃ）を示す正面図である。
【図６】図５のＢ−Ｂ断面図である。
【図７】この発明の第二実施形態の衣服の傾斜した端部に設けられた縫目端部構造を形成する第１生地と第２生地を縫い合わせる前の状態（ａ）と、縫い合わせた状態（ｂ）と、端部仕上がりラインを折り返した状態（ｃ）を示す正面図である。
【発明を実施するための形態】
【００１６】
以下、この発明の実施形態について図面に基づいて説明する。図１〜図３はこの発明の第一実施形態を示すもので、この実施形態の衣服１０は、スポーツクラブ等で使用する女性用の水着である。衣服１０は柔軟で伸縮性が高い編地等の生地１１で作られ、図３に示すように上半身１０ａと下半身１０ｂに分割されたセパレート形である。上半身１０ａは、襟ぐり１２と袖ぐり１４が広く開けられたタンクトップ形であり、裾１６はウエストの位置に達している。身体の前中心には、着脱用のファスナ１８が設けられている。身体の両側には、色や柄が異なる生地を帯状にカットして切り替えて取り付けた装飾部２０が設けられている。
【００１７】
装飾部２０は、袖ぐり１４の前側から胸の横を通過して下方に延出しさらに脇を通過して裾の後ろ側に達している。装飾部２０の周縁部は、各々縫目２２で切り替えられている。身体の腹部の両脇には、身体の前を覆うパーツと、腰の横を覆うパーツを縫い合わせた縫目２２が設けられ、縫目２２は縦方向に形成され、上端部は装飾部２０に達し、下端部は裾１６に達している。下半身１０ｂは、ウエストから大腿部の中間付近を覆うものであり、身体の中心の前後と、大腿部の横側と後側に、各パーツを縫い合わせた縫目２２が設けられている。
【００１８】
各縫目２２の、襟ぐり１２や袖ぐり１４等の端部に交差する部分は、縫目２２の両側の厚みの段差が少なくて平坦な縫目端部構造３０が設けられている。図１（ｃ）は、縫目端部構造３０を生地１１の裏面から見た図である。
【００１９】
縫目端部構造３０は、図１（ａ）に示すように生地１１を所定形状にカットした第１生地２４と第２生地２６を、縫目２２で縫い合わせて作られている。第１生地２４と第２生地２６は、縫目２２が位置する縫合ライン３２の外側と、縫合ライン３２に交差し襟ぐり１２や袖ぐり１４、裾１６等となる端部仕上がりライン２８の外側は、縫い代２４ａ，２６ａである。第１生地２４と第２生地２６が、縫合ライン３２を一致させて中表にして縫い代２４ａ，２６ａ同士がロックミシン線３４で縫い合わされている。ロックミシン線３４は、端部仕上がりライン２８に近づくにつれて、例えば５ｃｍ程度の位置で、縫合ライン３２から離れる方向に逃げて設けられている。縫合ライン３２の、端部仕上がりライン２８に近い部分でロックミシン線３４が無い部分には、ロックミシン線３４の一部に重なるように直線ミシン線３６が設けられて第１生地２４と第２生地２６が縫い合わされている。第１生地２４の縫い代２４ａには、直線ミシン線３６に対して交差する切断線３８が設けられ、切断線３８は、直線ミシン線３６から離れるにつれて端部仕上がりライン２８に近づくように傾斜している。縫い代２４ａの、切断線３８よりも端部仕上がりライン２８に近い部分は、直線ミシン線３６で折り返されて、第２生地２６の縫い代２６ａから開かれ、第１生地２４の裏面に重ねられている。そして、直線ミシン線３６で連結された第１生地２４と第２生地２６を、端部仕上がりライン２８で第１生地２４と第２生地２６の裏面へ折り返して縫い、端部が仕上げられている。
【００２０】
縫目端部構造３０の厚さは、図２に示すように、縫目２２の両側で生地の層数が同じ数となり、両側はいずれも４枚分の生地１１で等しい厚みを有している。
【００２１】
次に、衣服１０の縫目端部構造３０を作る工程について説明する。まず、図１（ａ）に示すように、第１生地２４と第２生地２６に、縫合ライン３２と端部仕上がりライン２８を決め、縫合ライン３２同士を中表にして合わせ、縫い代２４ａ，２６ａ同士をロックミシン線３４で縫合ライン３２に沿って縫い代２４ａ，２６ａを縫い合わせるとともにほつれ止め処理を行う。ロックミシン線３４は、端部仕上がりライン２８に近い位置で例えば５ｃｍ手前の位置で縫合ライン３２から離れ、縫い代２４ａ，２６ａから逃がす。縫合ライン３２の、端部仕上がりライン２８に近い部分でロックミシン線３４が無い部分には、ロックミシン線３４の一部に重なるように直線ミシン線３６をかけ、縫い代２４ａ，２６ａの側縁部まで縫い合わせる。
【００２２】
第１生地２４の縫い代２４ａに、直線ミシン線３６に対して交差する切断線３８を設け、縫い代２４ａの、切断線３８よりも端部仕上がりライン２８に近い部分を、直線ミシン線３６で折り返して、図１（ｂ）に示すように第２生地２６の縫い代２６ａから開き、第１生地２４の裏面に重ねる。切断線３８よりも端部仕上がりライン２８から離れた部分は、縫い代２４ａ，２６ａがロックミシン線３４により縫い合わせられた状態で第２生地２６の裏面に倒す。倒した状態でさらに図示しないミシン線で第２生地２６に縫い付けてもよい。
【００２３】
そして、連結された第１生地２４と第２生地２６を、端部仕上がりライン２８で縫い代２４ａ，２６ａを第１生地２４と第２生地２６の裏面へ折り返して縫い、図１（ｃ）に示すように、端部を仕上げる。
【００２４】
縫目端部構造３０は、衣服１０の襟ぐり１２や袖ぐり１４、裾１６等の端部に、縫目２２が交差するどの部分にも設けることができる。例えば装飾部２０の周縁部を生地１１に取り付ける縫目２２にも設けることができる。装飾部２０の縫目２２は、袖ぐり１４に対して鋭角に交差し、鋭角に交差している場合でも、図４に示すように、上述の場合と同様の縫目端部構造３０を同様の工程で設ける。ここでは、端部仕上がりライン２８が袖ぐり１４であり、端部仕上がりライン２８の外側に袖ぐり１４用の図示しない平ゴムを縫い合わせ、端部仕上がりライン２８で二つ折りする。このように縫目端部構造３０は、縫目２２に対する端部の角度や湾曲の強さにかかわらず、設けることができる。
【００２５】
この実施形態の衣服１０とその製造方法によれば、簡単な構造で安価であり、縫目２２を使って自由にデザインすることができ、縫目２２に交差する襟ぐり１２や袖ぐり１４、裾１６等の端部が平坦であり、着用者が快適に着用することができる。縫目２２で縫い合わされた第１生地２４と第２生地２６を折り返して端部を仕上げても、縫目２２の両側で同じ層数で厚みが同じであり、端部に、縫目２２の厚みの差による突起が生じることがない。端部が平坦であるため、着用者が運動する時に皮膚に与える影響がなく、内出血や擦過傷等の皮膚障害を防ぐことができる。縫目２２に対する端部の角度や湾曲の強さにかかわらず、縫目端部構造３０を作ることができ、衣服１０のいろいろな部分に縫目端部構造３０を設けることができる。ロックミシン線３４で縫い合わされた縫い代２４ａ，２６ａを、図示しないミシン線で第２生地２６に縫い付ける場合、図示しないミシン線の糸の厚みが第２生地２６に加えられるが、縫目２２の両側で厚みが同じであるため、大きく影響を受けることがなく、平坦となり、自由にミシン線を用いてデザインや補強をすることができる。また、熱融着テープ等他部材を必要とせずに安価に製造することができる。
【００２６】
次にこの発明の第二実施形態について図５に基づいて説明する。なお、ここで、上記実施形態と同様の部材は同様の符号を付して説明を省略する。この実施形態の衣服４０は、水着やフィットネスウエア等、何でもよい。衣服４０は、生地１１を所定形状にカットした第１生地４２と第２生地４４を縫目４６で縫い合わせて作られている。各縫目４６の、衣服４０の端部に交差する部分は、縫目４６の両側の厚みの段差が少なくて平坦な縫目端部構造４８が設けられている。図５（ｃ）は、縫目端部構造４８を生地１１の裏面から見た図である。
【００２７】
縫目端部構造４８は、図５（ａ）に示すように生地１１を所定形状にカットした第１生地４２と第２生地４４を縫目４６で縫い合わせて作られている。第１生地４２と第２生地４４は、縫目４６が位置する縫合ライン５０の外側と、縫合ライン５０に交差し襟ぐり１２や袖ぐり１４、裾１６等となる端部仕上がりライン５２の外側は、縫い代４２ａ，４４ａである。縫い代４２ａ，４４ａの、縫合ライン５０と端部仕上がりライン５２が交差する角部の近傍は、縫合ライン５０に対して略直角に位置する縫合ライン側縁部５０ａと、端部仕上がりライン５２に対して略直角に位置する端部仕上がりライン側縁部５２ａで囲まれた矩形に切り除されている。
【００２８】
第１生地４２と第２生地４４は、縫合ライン５０を一致させて中表にして縫い代２４ａ，２６ａ同士がロックミシン線５４で縫い合わされている。ロックミシン線５４は、縫い代４２ａ，４４ａの、縫合ライン５０に対して略直角に位置する縫合ライン側縁部５０ａに達している。縫い代４２ａ，４４ａの、端部仕上がりライン５２に対して略直角に位置する端部仕上がりライン側縁部５２ａは、互いに突き合わされて平行に隣接し、開き止めミシン線５６が設けられて縫い代４２ａ，４４ａが互いに面一となるように縫い合わされている。そして、開き止めミシン線５６で縫い合わされた縫い代４２ａ，４４ａを、端部仕上がりライン５２で第１生地４２と第２生地４４の裏面へ折り返して縫い、端部が仕上げられている。
【００２９】
縫目端部構造４８の厚さは、図６に示すように、縫目４６の第２生地４４側が４枚重ねとなり、第１生地４２側は２枚重ねとなり、第２生地４４側が少し厚くなる。しかし、縫い代４２ａ，４４ａの、縫合ライン５０と端部仕上がりライン５２で囲まれた角部の近傍があるときには、第２生地４４側が６枚重ねとなり、第１生地４２側の２枚重ねとの段差がより高いものとなる。これに対して、縫目端部構造４８は、比較的段差が小さいものとなる。
【００３０】
次に、衣服４０の縫目端部構造４８を作る工程について説明する。まず、図５（ａ）に示すように、第１生地４２と第２生地４４に、縫合ライン５０と端部仕上がりライン５２を決め、縫い代４２ａ，縫い代４４ａの、縫合ライン５０と端部仕上がりライン５２が交差する角部の近傍を切除する。この時、縫合ライン５０に対して略直角に位置する縫合ライン側縁部５０ａと、端部仕上がりライン５２に対して略直角に位置する端部仕上がりライン側縁部５２ａで囲まれた矩形に切り取る。
【００３１】
次に、第１生地４２と第２生地４４を縫合ライン５０同士を中表にして合わせ、縫い代２４ａ，２６ａ同士をロックミシン線５４で縫合ライン５０に沿って縫い代４２ａ，４４ａを縫い合わせるとともにほつれ止め処理を行う。ロックミシン線５４は縫合ライン側縁部５０ａに達して設ける。図５（ｂ）に示すように縫い代４２ａ，４４ａは、ロックミシン線５４で合わせられた状態で第２生地４４の裏面に倒す。倒した状態でさらに図示しないミシン線で第２生地４４に縫い付けてもよい。
【００３２】
次に、突き合わされた端部仕上がりライン側縁部５２ａに、開き止めミシン線５６をかけて縫い合わせる。そして、連結された第１生地４２と第２生地４４を、端部仕上がりライン５２で縫い代４２ａ，４４ａを第１生地４２と第２生地４４の裏面へ折り返して縫い、図５（ｃ）に示すように、端部を仕上げる。なお、突き合わされた縫合ライン側縁部５０ａは、開き止めミシン線５６以外に、ホットメルトで閉じてもよい。
【００３３】
縫目端部構造４８は、衣服４０の襟ぐりや袖ぐり、裾等の端部に、縫目４６が交差するどの部分にも設けることができる。縫目４６が端部に対して鋭角に交差している場合でも、図７に示すように、同様の縫目端部構造４８を同様の工程で設ける。縫目端部構造４８は、縫目４６に対しる端部の角度や湾曲の強さにかかわらず、設けることができる。
【００３４】
この実施形態の衣服４０とその製造方法によれば、上記実施の形態と同様の効果を得ることができる。縫目４６の第１生地４２側の厚みを生地１１の２枚分にすることができ、薄形にすることができる。袖ぐり１４等を薄くすることができ、身体を動かしやすくし、運動しやすいものとなる。作業工程がより少なく、生産効率が良好である。
【００３５】
この発明の衣服は、上記実施の形態に限定されるものではなく、ロックミシン線や開き止めミシン線は上記以外の種類のミシン線で縫い合わせてもよい。衣服の縫目の配置や長さ、形状等は、機能やデザインに合わせて自由に変更することができる。衣服は水着以外でもよく、下着等いろいろな用途の衣服にすることができる。伸縮性を持たない生地で作られたものでもよい。半袖や長袖の袖ぐりや、ウエスト等にも縫目端部構造を設けることができる。衣服以外に帽子や靴下等の小物でもよい。
【符号の説明】
【００３６】
１０，４０  衣服
１１  生地
１２  襟ぐり
１４  袖ぐり
２２  縫目
２４，４２  第１生地
２４ａ，４２ａ，２６ａ，４４ａ  縫い代
２６，４４  第２生地
２８，５２  端部仕上がりライン
３０，４８  縫目端部構造
３２，５０  縫合ライン
３４，５４  ロックミシン線
３６  直線ミシン線
３８  切断線
５０ａ  縫合ライン側縁部
５２ａ  端部仕上がりライン側縁部
５６  開き止めミシン線
【図１】
0006698327.tif 000002
【図２】
0006698327.tif 000003
【図３】
0006698327.tif 000004
【図４】
0006698327.tif 000005
【図５】
0006698327.tif 000006
【図６】
0006698327.tif 000007
【図７】
0006698327.tif 000008